(57)【要約】【課題】目地幅によるパッキンの飛び出しや外壁材の小口の露出を防止することができる外壁を提供する。【解決手段】建物の躯体２の壁部に上下左右に隣接して配設される外壁材４と、左右の外壁材４，４間の目地部５に上下方向に連続して挿入されるパッキン６とを備え、前記パッキン６は目地部５の略中心線上に位置する本体部２９と、該本体部２９の両側から斜め後方に延出されてその弾性力により外壁材４の小口４ａに当接される密封片部３０，３０とを有し、両密封片部３０，３０の縁部には目地幅に応じて前記本体部２９の後面部２９ａに沿って互いに接近離反移動する突起部３１，３１が相対向して設けられている。【選択図】          図１
2005002753.tif 000002
【特許請求の範囲】
【請求項１】
建物の躯体の壁部に上下左右に隣接して配設される外壁材と、左右の外壁材間の目地部に上下方向に連続して挿入されるパッキンとを備え、前記パッキンは目地部の略中心線上に位置する本体部と、該本体部の両側から斜め後方に延出されてその弾性力により外壁材の小口に当接される密封片部とを有し、両密封片部の縁部には目地幅に応じて前記本体部の後面部に沿って互いに接近離反移動する突起部が相対向して設けられていることを特徴とする外壁。
【発明の詳細な説明】
【０００１】
【発明の属する技術分野】
本発明は、外壁に係り、特に目地部における意匠性及び止水性等の向上を図った外壁に関する。
【０００２】
【従来の技術】
外壁としては、図８に示すように、建物の躯体の壁部に外壁材４，４を隣接して配設し、外壁材４，４間の目地部５にパッキン６０を挿入する乾式シール工法の外壁が提案されている（例えば、特願２００２−８４５７号、未公開）。
【０００３】
この外壁によれば、上記パッキン６０の本体部の両側に外壁材４の小口（端面）４ａに押圧される密封片部６１，６１を設けることにより外壁材４，４間の目地部５に雨水が侵入するのを防止できる。
【０００４】
【発明が解決しようとする課題】
ところで、前記外壁においては、図８の（ａ）に示すように、目地部５の目地幅が狭いと、パッキン６０の密封片部６１，６１の先端部（縁部）が目地部５から外側に飛び出し（突出し）、図８の（ｂ）に示すように、目地幅が広いと、外壁材４の小口４ａが露出することが考えられる。パッキン６０の密封片部３０，３０の先端部が飛び出すと、意匠性が悪くなる。また、外壁材４の小口４ａが露出すると、露出した小口から雨水が浸入して凍害等により外壁材の耐久性が低下することがあるので、これを防止するために露出した小口に補修液（シーラー）を塗布する必要があり、施工に手間がかかる。
【０００５】
本発明は、前記事情を考慮してなされたもので、目地幅によるパッキンの飛び出しや外壁材の小口の露出を防止することができ、意匠性、止水性及び耐久性の向上が図れる外壁を提供することを目的とする。
【０００６】
【課題を解決するための手段】
本発明は、建物の躯体の壁部に上下左右に隣接して配設される外壁材と、左右の外壁材間の目地部に上下方向に連続して挿入されるパッキンとを備え、前記パッキンは目地部の略中心線上に位置する本体部と、該本体部の両側から斜め後方に延出されてその弾性力により外壁材の小口に当接される密封片部とを有し、両密封片部の縁部には目地幅に応じて前記本体部の後面部に沿って互いに接近離反移動する突起部が相対向して設けられていることを特徴とする。
【０００７】
【発明の実施の形態】
以下に、本発明の実施の形態を添付図面に基いて詳述する。図１は本発明の実施の形態である外壁を示す横断面図、図２はパッキンの拡大断面図、図３は目地幅に追従するパッキンの動きを概略的に示す断面図、図４は外壁材の取付け構造の一例を説明するための縦断面図である。
【０００８】
これらの図において、１は外壁で、この外壁１は建物の躯体２の壁部３に外壁材４を上下左右に隣接して配設し、左右の外壁材４，４間の隙間である目地部５に上下方向に連続するパッキン６を挿入してなる。前記外壁材４は、たとえばタイルやレンガのような窯業系の外装材（サイディング）からなり、所定の寸法（例えば横幅が４５０ｍｍ×２７００ｍｍ）のパネル状に形成されている。
外壁材４の取付け方法としては、縦長状態で取付ける縦張りや、横長状態で取付ける横張りがあるが、何れであってもよい。
【０００９】
上下の外壁材４，４は、上側の外壁材４の下端部にその厚さ方向略中間部を境として外表面側を下方に突出させた突部７と、裏面側を上方に凹ませた凹部８とを形成すると共に、下側の外壁材４の上端部にその厚さ方向略中間部を境として外表面側を下方に凹ませた凹部９と、裏面側を上方に突出させた突部１０とを形成し、対向する突部７，１０と凹部９，８を互いに係合させることで接合されている。上下の外壁材４，４間には、厚さ方向略中間部に止水材（例えばホットメルト）１５が設けられている。なお、外壁材４の下端部の凹部８には取付金具１６，１７の断面略Ｌ字状の上向きの係止爪部１８に引掛けるための係止溝１９が設けられている。
【００１０】
前記外壁材４は、取付金具１６，１７を介して躯体２の壁部３と外壁材４との間に所定隙間の通気層２０が形成されているように躯体２の壁部３に取付けられている。取付金具１６，１７は、最下側の外壁材４の下端部を支持するスタート用取付金具１６と、上下の外壁材４の接合部を支持する中間取付金具１７からなり、これらは躯体２の壁部３に固着具例えば釘２１で固定されている。
【００１１】
中間取付金具１７は、上側の外壁材４の下端部の係止溝１９を引掛ける上向きの係止爪部１８と、下側の外壁材４の上端部の突部１０を引掛けるための下向きの係止爪部２２とを有している。最上側の外壁材４の上端部は躯体２の壁部３に通気用胴縁材２３を介して釘２４で固定されている。また、前記躯体２の壁部３には、透湿防水紙２５が張設されている。なお、最上側の外壁材４の上端部は、凹部及び突部を有せず、パネル面に直角に切断されている。この最上側の外壁材４の上端部は、軒天２６の下面に対向しており、外壁材４の上端部と軒天２６の下面との間に隙間２７を設け、この隙間にパッキン２８が挿入されている。
【００１２】
前記パッキン６は、弾性を有する例えば軟質樹脂からなり、押出成形により図１の紙面に垂直方向に連続した長尺に形成されている。前記パッキン６は、目地部５の中心線上に位置される本体部２９を有している。前記パッキン６は、図１ないし図２に示すように本体部２９の両側、具体的には本体部２９の前部両側から斜め後方に延出されてその弾性力により外壁材４の小口４ａに当接される密封片部３０，３０が形成されている。両密封片部３０，３０の縁部には、目地部５の目地幅に応じて、前記本体部２９の後面部２９ａに沿って互いに接近離反移動する突起部（規制片部）３１、３１が相対向して設けられている。
【００１３】
前記突起部３１，３１が本体部２９の後面部に沿って移動が規制されていることにより、目地幅によって両側の密封片部３０，３０が狭まったり、広がったりする時に密封片部３０，３０の先端部（縁部）が目地部５から外部に突出（飛び出し）したり、或いは引っ込んで外壁材４の小口４ａが露出したりするのを規制している。
【００１４】
本体部２９の後面部２９ａに沿った前記突起部３１、３１の移動を容易にするために本体部２９の両肩部には切込部３２，３２が設けられていることが好ましい。また、本体部２９の挿入方向前端部には、幅の狭い首部３３を介して固定用の錨状の係止片部３４が突設されている。前記本体部２９の後面部２９ａは目地部５の入り口付近に位置され、略平坦面に形成されている。
【００１５】
以上のようにしてパッキン６は、例えば図３の（ａ）に示すように目地部５の目地幅Ｗａが例えば８ｍｍ程度と狭い場合には両密封片部３０，３０が狭まり、図３の（ｂ）に示すように目地幅Ｗａが例えば１５ｍｍ程度と広い場合には両密封片部３０，３０が広がり、施工許容範囲内の目地幅（例えば８〜１５ｍｍ程度）に追従できるようになっている。このとき、両密封片部３０，３０の先端部の突起部３１，３１が本体部２９の後面部２９ａに沿って移動するように規制されているため、両密封片部３０，３０の先端部（縁部）が目地幅によって外側に突出したり内側に引っ込んだりすることがなく、且つ目地幅に拘わらずに外壁材４の小口（端面）４ａに面接触する接触面積ｄが広く確保されていている。
【００１６】
前記目地部５の背面側における躯体２の壁部３には、左右に隣接する外壁材４，４の対向する端部の裏面を支持するベース材３５が固着具例えば釘３６で固定されている。このベース材３５は、例えばアルミニウム合金の押出形材からなり、幅広の断面略逆Ｕ字状で目地部５に沿って上下方向に長尺に形成されている。ベース材３５の幅方向中央部にはパッキン６の係止片部３４を挿入係止するための断面略Ｕ字状の係止溝部３７が形成されている。係止溝部３７の両縁部にはパッキン６の係止片部３４を係止し易くするための拡大部３９が形成されていることが好ましい。前記ベース材３５における係止溝部３８の両側にはベース材３５と外壁材４，４の裏面との間を封止するための止水部材３８，３８が設けられている。
【００１７】
以上の構成からなる外壁１によれば、建物の躯体２の壁部に上下左右に隣接して配設される外壁材４と、左右の外壁材４，４間の目地部５に上下方向に連続して挿入されるパッキン６とを備え、前記パッキン６は目地部５の略中心線上に位置する本体部２９と、該本体部２９の両側から斜め後方に延出されてその弾性力により外壁材４の小口４ａに当接される密封片部３０，３０とを有し、両密封片部３０，３０の縁部には目地幅に応じて前記本体部２９の後面部２９ａに沿って互いに接近離反移動する突起部３１，３１が相対向して設けられているため、目地幅によるパッキン６の飛び出しや外壁材４の小口４ａの露出を防止することができ、意匠性、止水性及び耐久性の向上が図れる。
【００１８】
すなわち、目地幅によるパッキン６の密封片部３０，３０の先端側の動きが突起部３１，３１により規制されていることにより、密封片部３０，３０が外壁材４の小口（端面）４ａに面接触する接触面積ｄを広く確保したまま施工許容範囲内の目地幅に追従できるようになっているため、目地幅がせまいときにパッキン６の密封片部３０，３０の先端部が目地部５の外側に飛び出したり、目地幅が広いときに外壁材４の小口４ａが露出したりするのを防止することができる。外壁材４の小口４ａが露出しないので、外壁材４の露出した小口４ａに補修液を塗布する必要がなく、施工が容易になる。なお、外壁材は一般的に現場で切断されて躯体に取付け後、切断面である小口に防水塗料を塗布する防水処理が施されるが、この防水処理は勿論行っても良い。
【００１９】
本発明は、建物の出隅部や入隅部にも適用可能である。図５は本発明を建物の出隅部に適用した実施例を表す横断面図、図６は本発明を建物の入隅部に適用した実施例を表す横断面図である。これらの図において、前記実施の形態ないし実施例と同一部分は同一参照符号を付して説明を省略し、異なる部分について説明を加える。図５の実施例の外壁１においては、建物の出隅部４０に断面略Ｌ字状の出隅用外壁材４１が取付金具１７，１７を介して取付けられ、この出隅用外壁材４１と隣接する外壁材４との間の目地部５にパッキン６が挿入されている。前記パッキン６は出隅用外壁材４１及び外壁材４の小口４ａに弾性力で当接される密封片部３０，３０を有し、両密封片部３０，３０の縁部には目地幅に応じて前記本体部２９の後面部２９ａに沿って互いに接近離反移動する突起部３１，３１が相対向して設けられている。このため、本実施例の外壁１においても、前記実施例と同様の作用を奏することができる。
【００２０】
図６の実施例の外壁１においては、建物の躯体２の入隅部４２において一方の外壁材４と他方の外壁材４とが交わっており、一方の外壁材４の端部と、この端部が対向する他方の外壁材４の外表面との間の目地部５にパッキン６が挿入されている。躯体２の入隅部４２には、断面略Ｌ字状に形成された入隅用ベース材４３が取付けられ、この入隅用ベース材４３に両外壁材４，４の端部の裏面が支持されている。本実施例の外壁においても、前記実施例と同様の作用効果を奏することができる。
【００２１】
以上、本発明の実施の形態を図面により記述してきたが、本発明は前記実施の形態に限定されるものではなく、本発明の要旨を逸脱しない範囲での種々の節制変更が可能である。例えばパッキン６としては、図７の（ａ）に示すように両密封片部３０，３０の肩部に止水フィン４５，４５を設けても良く、これにより外壁材の小口における止水領域を広く取ることができる。また、パッキン６としては、図７の（ｂ）に示すように、本体部２９の両肩部に切込部を設けなくても良く、また、この場合、図７の（ｂ）に示すように、両密封片部３０，３０の肩部に止水フィン４５，４５を設けても良い。
【００２２】
【発明の効果】
以上説明したように本発明の外壁によれば、建物の躯体の壁部に上下左右に隣接して配設される外壁材と、左右の外壁材間の目地部に上下方向に連続して挿入されるパッキンとを備え、前記パッキンは目地部の略中心線上に位置する本体部と、該本体部の両側から斜め後方に延出されてその弾性力により外壁材の小口に当接される密封片部とを有し、両密封片部の縁部には目地幅に応じて前記本体部の後面部に沿って互いに接近離反移動する突起部が相対向して設けられているため、目地幅によるパッキンの飛び出しや外壁材の小口の露出を防止することができ、意匠性、止水性及び耐久性の向上が図れる。
【図面の簡単な説明】
【図１】本発明の実施の形態である外壁を示す横断面図である。
【図２】パッキンの拡大断面図である。
【図３】目地幅に追従するパッキンの動きを概略的に示す断面図である。
【図４】外壁材の取付け構造の一例を説明するための縦断面図である。
【図５】本発明を出隅部に適用した実施例を示す横断面図である。
【図６】本発明を入隅部に適用した実施例を示す横断面図である。
【図７】パッキンの変形例を示す拡大断面図である。
【図８】乾式シール工法の外壁の一例を示す断面図である。
【符号の説明】
１  外壁
２  躯体
３  壁部
４  外壁材
５  目地部
６  パッキン
３０  密封片部
３１  突起部
【図１】
2005002753.tif 000003
【図２】
2005002753.tif 000004
【図３】
2005002753.tif 000005
【図４】
2005002753.tif 000006
【図５】
2005002753.tif 000007
【図６】
2005002753.tif 000008
【図７】
2005002753.tif 000009
【図８】
2005002753.tif 000010